(57)【特許請求の範囲】
【請求項１】
長尺の搬送フレームと、該搬送フレーム内に長手方向に配設された搬送ベルトと、前記搬送フレームの側面を覆う側面カバーとを具える紙葉類搬送ユニットを複数個連結した紙葉類搬送装置であって、
前記搬送フレームの下側縁部に固定係止部材を設け、前記搬送フレームの上面に、面と水平な方向に回転するように可動係止部材を設け、前記固定係止部材に前記側面カバーの下端縁を係止し、前記可動係止部材の回転位置により前記側面カバーの上端縁を係止したり、係止を解除したりするようにしたことを特徴とする紙葉類搬送装置。
【請求項２】
前記側面カバーは、落下防止部材により前記搬送フレーム又は他の側面カバーに連結されていることを特徴とする請求項１記載の紙葉類搬送装置。
【発明の詳細な説明】
【０００１】
【発明の属する技術分野】
本発明は、パチンコ店，パチスロ店等において、台間に設けられた玉貸機，コイン貸機等に付設された紙幣識別装置等から所定箇所まで紙幣等の紙葉類を搬送するための紙葉類搬送装置に関するものである。
【０００２】
【従来の技術】
例えば、パチンコ店では、パチンコ台を横方向に複数台並べて構成される島の台間に玉貸機が配置され、その上部には、前面に紙幣挿入口を具えた紙幣識別装置が設けられる。そして、それらの紙幣識別装置は紙幣搬送装置に接続される。
紙幣搬送装置は、島の表裏両側に配列されたパチンコ台の間に配設され、各紙幣識別装置から受け取った紙幣を、回転するベルトの間に挟んで島端等に設けられた金庫まで搬送する。
【０００３】
図４は、従来の紙幣搬送ユニットを示す図である。図４において、１は紙幣搬送ユニット、２は搬送フレーム、３は搬送ベルト、４は側面カバー、８はラッチ取付部、９は玉ラッチ収納孔、１０はヒンジ、１１はガイド部材である。
【０００４】
紙幣搬送ユニット１の内部には、複数個のローラ間に掛け渡した一対の搬送ベルト３が設けられていて、それらの搬送ベルト３に紙幣を立てた状態で挟んで搬送する。搬送ベルト３の両側は、側面カバー４，４により覆われている。側面カバー４は、下端部に設けられたヒンジ１０，１０により開閉自在に支持されており、上端部は、ラッチ取付部８の玉ラッチ収納孔９に設けられた玉ラッチ（図示せず）により係止される。
【０００５】
このような紙幣搬送ユニット１が複数個連結されて、パチンコ台の島の内部に配設される。そして、紙幣搬送ユニット１の内部で紙幣が詰まったりした場合は、側面カバー４を開けて、詰まった紙幣を除去するようにしている。
【０００６】
なお、このような紙葉類搬送装置に関連する従来の文献としては、例えば、特開平9-40202 号公報(B65H 5/02) がある。
【０００７】
【発明が解決しようとする課題】
しかしながら、上記従来の紙葉類搬送装置では、側面カバー４，４の下端部がヒンジ１０，１０により支持されていて、側面カバー４，４を開く際には、ヒンジ１０，１０を中心にして回転させて開くため、側面方向に大きなスペースが必要になるという問題点があった。
【０００８】
本発明は、そのような問題点を解決し、大きなスペースがなくても紙幣搬送ユニットの側面カバーを開閉できるようにすることを目的とするものである。
【０００９】
【課題を解決するための手段】
前記課題を解決するため、請求項１に記載の紙葉類搬送装置は、長尺の搬送フレームと、該搬送フレーム内に長手方向に配設された搬送ベルトと、前記搬送フレームの側面を覆う側面カバーとを具える紙葉類搬送ユニットを複数個連結した紙葉類搬送装置であって、前記搬送フレームの下側縁部に固定係止部材を設け、前記搬送フレームの上面に、面と水平な方向に回転するように可動係止部材を設け、前記固定係止部材に前記側面カバーの下端縁を係止し、前記可動係止部材の回転位置により前記側面カバーの上端縁を係止したり、係止を解除したりするようにしたことを特徴とする。このようにすると、大きなスペースがなくても紙幣搬送ユニットの側面カバーを開閉できるようになる。しかも、ワンタッチで可動係止部材を解除することができ、側面カバーの着脱がきわめて容易になる。
【００１０】
また、請求項２に記載の紙葉類搬送装置は、前記側面カバーは、落下防止部材により前記搬送フレーム又は他の側面カバーに連結されていることを特徴とする。このようにすると、側面カバーを取り外したとき、側面カバーが床に落下するのを防止することができる。
【００１１】
【発明の実施の形態】
以下、本発明の実施の形態を図面に基づいて詳細に説明する。
図１は、本発明の一実施形態を示す図である。符号は、図４のものに対応しており、５は固定係止部材、６は可動係止部材、７は落下防止部材である。
【００１２】
前述したように、従来の紙幣搬送ユニット１では、側面カバー４を搬送フレーム２にヒンジで接続したが、この紙幣搬送ユニット１では、搬送フレーム２と側面カバー４とを直接には接続しない。その代わりに、搬送フレーム２の上下の側縁、例えば、下側縁に固定係止部材５，５を設け、側面カバー４の下端縁をそれらに係止させる。また、搬送フレーム２の上下方向反対側に可動係止部材６を設けて、側面カバー４の上端縁をそれにより押さえ付けて側面カバー４を固定する。
【００１３】
固定係止部材５は、例えば、金属板で形成して紙幣搬送ユニット１の長手方向両端部にそれぞれ設け、側面カバー４をそれらにはめ込むようにして載置する。一方、可動係止部材６は、例えば、金属板で形成して、中央部を、搬送フレーム２の上面の長手方向中央部に設けた回転軸に取り付けて、搬送フレーム２の上面と平行な方向に回転できるようにしている。そして、図１に示すように、可動係止部材６を紙幣搬送ユニット１の長手方向に対して直角の位置にした状態で、側面カバー４，４の上端縁を押さえ付けるようにして、側面カバー４，４が搬送フレーム２の両側を覆った状態で保持されるようにしている。
【００１４】
なお、図１では、側面カバー４，４にラッチ取付部８が設けられていて、可動係止部材６によりそのラッチ取付部８を押さえるようにしているが、ラッチ取付部８は、特に必要はなく、ラッチ取付部８が無い状態で側面カバー４，４の上端縁を直接可動係止部材６で押さえ付けるようにしてもよい。
【００１５】
この状態で、内部に紙幣が詰まったりした場合は、可動係止部材６を９０°回転させて側面カバー４，４の上端にかからないように外してから、側面カバー４を上に引き上げる。その結果、図２に示すように、側面カバー４が搬送フレーム２から外れる。側面カバー４の下端部には、スプリング部材よりなる落下防止部材７が取り付けられていて、落下防止部材７の他端は搬送フレーム２に固定されているため、側面カバー４を手から離しても床まで落下せずに、図３に示すように、搬送フレーム２の下側の手が届く範囲で保持される。したがって、詰まった紙幣の除去作業も容易にでき、作業が終わったら、直ぐ側面カバー４を手で持って、搬送フレーム２に取り付けることもできる。
【００１６】
なお、上記実施形態では、可動係止部材として、回転式のものを用いたが、それに限定されず、その他の手段を採用することもできる。例えば、断面コの字状の係止具を使って、固定係止部材５に側面カバー４，４をはめ込み、側面カバー４，４の上端を搬送フレーム２側に押さえ付けた状態で、上から係止具をはめ込むことにより、側面カバー４，４を固定するようにしてもよい。その場合は、断面コの字状の係止具を紐状体により搬送フレーム２等に連結しておいて、係止具を外したときに、係止具が下に落下しないようにするとよい。また、上記実施形態では、落下防止部材７の他端を搬送フレーム２に固定するようにしたが、それに限定されず、反対側に取り付けられているもう一方の側面カバーに固定して、側面カバー同志を落下防止部材７で連結するようにしてもよい。
【００１７】
【発明の効果】
本発明は、以上説明したように構成されているので、次に記載するような効果を奏する。
すなわち、請求項１に記載の紙葉類搬送装置は、搬送フレームの下側縁部に固定係止部材を設け、前記搬送フレームの上面に、面と水平な方向に回転するように可動係止部材を設け、それらの係止部材により前記側面カバーを前記搬送フレームに対して着脱可能に取り付け、前記可動係止部材の回転位置により前記側面カバーの上端縁を係止したり、係止を解除したりするようにした。その結果、側面カバーを上下方向に移動させて開閉することができ、大きなスペースがなくても紙幣搬送ユニットの側面カバーを開閉できるようになる上、ワンタッチで可動係止部材を解除することができ、側面カバーの着脱がきわめて容易になる。
【００１８】
また、請求項２に記載の紙葉類搬送装置は、側面カバーを、落下防止部材により搬送フレーム又は他の側面カバーに連結したので、側面カバーを取り外したとき、側面カバーが床に落下するのを防止することができる。
【図面の簡単な説明】
【図１】  本発明の一実施形態を示す図である。
【図２】  紙幣搬送ユニットの側面カバーの上部係止部材を解除した状態を示す図である。
【図３】  紙幣搬送ユニットの側面カバーの上部係止部材を開いた状態を示す図である。
【図４】  従来の紙幣搬送ユニットを示す図である。
【符号の説明】
１…紙幣搬送ユニット
２…搬送フレーム
３…搬送ベルト
４…側面カバー
５…固定係止部材
６…可動係止部材
７…落下防止部材
８…ラッチ取付部
９…玉ラッチ収納孔
１０…ヒンジ
１１…ガイド部材
【図１】
0003649970.tif 000002
【図２】
0003649970.tif 000003
【図３】
0003649970.tif 000004
【図４】
0003649970.tif 000005